(57)【要約】【課題】マットカバー表面に生じるシワや弛みを容易に除去して表面を平坦にすることができ、取り扱いも容易な運動用マットカバーを提供する。【解決手段】緩衝マットを被覆するための運動用マットカバーであって、緩衝マットの表面を覆う表面被覆部と、緩衝マットの側面を覆う側面被覆部と、表面被覆部の周縁から外方へ配設されたフラップ部と、側面被覆部の上端と表面被覆部の裏面とを連結する遊び連結部と、を少なくとも備えている。【選択図】図１
2018099414.tif 000002
【特許請求の範囲】
【請求項１】
緩衝マットを被覆するための運動用マットカバーであって、
前記緩衝マットの表面を覆う表面被覆部と、
前記緩衝マットの側面を覆う側面被覆部と、
前記表面被覆部の周縁から外方へ配設されたフラップ部と、
前記側面被覆部の上端と前記表面被覆部の裏面とを連結する遊び連結部と、を少なくとも備えていることを特徴とする運動用マットカバー。
【請求項２】
前記遊び連結部は、外方から見て谷折りで折返しされた折返し部を有することを特徴とする請求項１に記載の運動用マットカバー。
【請求項３】
前記遊び連結部は短冊状材またはヒモ状材からなることを特徴とする請求項１又は２に記載の運動用マットカバー。
【請求項４】
前記遊び連結部は帯状または短冊状のシート材からなり、該シート材は、厚み方向に複数の貫通孔を有するシート、メッシュシートまたは網目状シートであることを特徴とする請求項１又は２に記載の運動用マットカバー。
【請求項５】
前記フラップ部は、前記表面被覆部の重心に対して線対称に又は放射状に配置されていることを特徴とする請求項１〜４のいずれか１項に記載の運動用マットカバー。
【請求項６】
前記フラップ部は、前記表面被覆部の角周縁から外方に配設され、
前記遊び連結部は、前記側面被覆部の角領域の上端と前記表面被覆部の角領域の裏面とを連結するように設けられていることを特徴とする請求項１〜４のいずれか１項に記載の運動用マットカバー。
【請求項７】
前記フラップ部には、前記側面被覆部に脱着可能に固定される固定手段を備えていることを特徴とする請求項１〜６のいずれか１項に記載の運動用マットカバー。
【請求項８】
前記固定手段は、面ファスナーであることを特徴とする請求項７に記載の運動用マットカバー。
【発明の詳細な説明】
【技術分野】
【０００１】
本発明は、主にフリークライミングや器械運動等の際に使用される運動用マットのカバーに関する。
【背景技術】
【０００２】
近年、ボルダリングをはじめとするフリークライミングが人気を集め、人工の岩壁が設けられた施設や自然の岩壁等で競技や練習を行うことを楽しむクライマーが子供から大人まで男女問わず急増している。これにともない、高所からの転落や高所から一気に着地すること等の強い衝撃によりクライマーが怪我をするリスクも増加している。
【０００３】
このようなリスクを防止又は軽減するため、特許文献１（当該文献の図４参照）に示すように、フリークライミング施設では、クライマーがよじ登るクライミングウォールの下に３０ｃｍを超える十分な厚みのある緩衝作用を有するマットを配置して対処している。この種のマットは、比較的軽量であり衝撃の分散及び吸収作用に優れることから、ポリウレタン等の軟質の発泡樹脂素材から形成されている。
【０００４】
そして、図１１に示すように、このマット９´の表面を保護するため、マット９´の緩衝性を確保できるテント用生地等で形成されたカバー材１´で、軟質発泡樹脂素材からなる緩衝マット９´を被覆することが行われている。カバー材１´は緩衝マット９´を出し入れしやすいように、緩衝マット９´よりもやや大きめに形成されており、側面部には緩衝マット９´を出し入れするためのスライドファスナ７´が設けられている。
【先行技術文献】
【特許文献】
【０００５】
【特許文献１】実用新案登録第３１４０１４３号公報
【発明の概要】
【発明が解決しようとする課題】
【０００６】
しかしながら、カバー材１´は緩衝マット９´よりも大きめに形成されているため、緩衝マット９´とカバー材１´との間には空間が生じており、図１１に示すように、カバー材１´の表面にはシワや弛みが生じやすい。カバー材１´の表面に大きなシワや弛みがあると、歩行時にシワや弛みに躓いて転倒したり、シワの上に落下や着地した際にマット９´の緩衝性が阻害されることがある。それゆえ、できるだけカバー材１´の表面からシワや弛みを取り除いてその表面を平坦にすることが求められている。
【０００７】
そこで、表面のシワや弛みを低減させるため、カバー材自体の寸法を緩衝マットと略同じ寸法に形成することが考えられるが、このようなカバー材に緩衝マットを収容して被覆する場合、カバー材を強く引っ張りながら側面部のスライドファスナを締めなければならず、緩衝マットが正確な位置に収まっていないとスライドファスナの歯も飛んで破損してしまうため、被覆すること自体が非常に困難であるという問題があった。
【０００８】
他方、表面に生じたシワや弛みを取るため、カバー材表面の周縁部を手でつかんで外方に引っ張り、余剰分の生地を側面から底面側に巻き込みすることも考えられるが、この方法では緩衝マットの表面周縁の角部にテンションがかかり、マットの角部が潰れて丸くなるため、表面の平坦性が失われるという問題があった。
【０００９】
本発明は上述した点に鑑み案出されたもので、その目的は、マットカバー表面に生じるシワや弛みを容易に除去して表面を平坦にすることができ、取り扱いも容易な運動用マットカバーを提供することにある。
【課題を解決するための手段】
【００１０】
上記課題を解決するため、本発明の運動用マットカバーは、緩衝マットを被覆するための運動用マットカバーであって、緩衝マットの表面を覆う表面被覆部と、緩衝マットの側面を覆う側面被覆部と、表面被覆部の周縁から外方へ配設されたフラップ部と、側面被覆部の上端と表面被覆部の裏面とを連結する遊び連結部と、を少なくとも備えている。なお、本明細書において上下とは、運動用マットカバーの使用状態における上下方向、すなわち、緩衝マットをマットカバーで覆ってセットした状態での上下方向、例えば図１における上下方向をいうものとする。
【００１１】
本発明の運動用マットカバーは、緩衝マットの表面を覆う表面被覆部と、緩衝マットの側面を覆う側面被覆部とを有している。表面被覆部の周縁には、外方に延出するフラップ部が配設されており、この自由端として形成されたフラップ部をつかんで外方に引っ張ることにより、表面被覆部に生じたシワや弛みを容易に取り除くことができる。また、側面被覆部の上端と表面被覆部の裏面（緩衝マット表面側の面）とは遊び連結部で連結されている。ここで、表面被覆部の裏面（緩衝マット表面側の面）には、表面被覆部の周縁部（表面被覆部とフラップ部との境界部）も含むものである。この遊び連結部は、マットカバーの表面被覆部と側面被覆部とをゆるやかに連結しており、フラップ部を外方に引っ張って表面被覆部のシワを除去する際に、側面被覆部がフラップ部の引っ張りによる応力の影響を受け難いように構成されている。そのため、フラップ部が強く引っ張られた状態で側面被覆部に固定された場合でも緩衝マットの角部が潰れ難く、側面被覆部も弛み難くなるため、表面平坦性が向上する。また、表面被覆部と側面被覆部とが遊び連結部を介して一体として形成されるため、表面被覆部及び側面被覆部の位置ずれ等を防ぐことができる。
【００１２】
また、本発明の運動用マットカバーの遊び連結部は、外方から見て谷折りで折返しされた折返し部を有することも好ましい。マットカバーのフラップ部を外方に引っ張った際、フラップ部と連続している表面被覆部は引っ張られて外方に移動するが、遊び連結部はこの表面被覆部の裏面と結合しているため、遊び連結部のその結合部（表面被覆部との結合部）も外方へ移動する。このとき、遊び連結部が、谷折りで折返しされた折返し部を有することにより、遊び連結部は、折返し部の位置を変化させながら、表面被覆部の移動にスムーズに追従する。これにより、表面被覆部の外方への動きが側面被覆部に伝わり難くなり、側面被覆部の弛みや移動が抑制される。よって、表面のシワや弛みを除去しやすく、取り扱いしやすいマットカバーが得られる。
【００１３】
また、本発明の運動用マットカバーの遊び連結部は、短冊状材またはヒモ状材からなることも好ましい。遊び連結部を短冊状材またはヒモ状材として、体積または面積を小さくすることで、遊び連結部が容易に変形し易くなる。それゆえ、フラップ部を外方に引っ張って表面被覆部のシワを除去する際に、表面被覆部の移動やフラップ部の引っ張りによる応力の影響を側面被覆部がより受け難くなる。そのため、表面のシワや弛みを除去しやすく、取り扱いしやすいマットカバーが得られる。
【００１４】
また、本発明の運動用マットカバーの遊び連結部は、帯状または短冊状のシート材からなり、このシート材は、厚み方向に複数の貫通孔を有するシート、メッシュシートまたは網目状シートであることも好ましい。遊び連結部を厚み方向に複数の貫通孔を有するシートや、メッシュシート、網目状シート等のシート材とすることによって、遊び連結部の柔軟度が向上して容易に変形し易くなる。それゆえ、フラップ部を外方に引っ張って表面被覆部のシワを除去する際に、側面被覆部が、表面被覆部の移動やフラップ部の引っ張りによる応力の影響をより受け難くなる。そのため、表面のシワや弛みを除去しやすく、取り扱いしやすいマットカバーが得られる。
【００１５】
また、本発明の運動用マットカバーのフラップ部は、表面被覆部の重心に対して線対称に又は放射状に配置されていることも好ましい。これにより、重心を挟んで配置されたフラップ部を同時に外方に引っ張ることにより、表面のシワや弛みをよりきれいに取り除くことができる。
【００１６】
また、本発明の運動用マットカバーのフラップ部は、表面被覆部の角周縁から外方に配設され、遊び連結部は、側面被覆部の角領域の上端と表面被覆部の角領域の裏面とを連結するように設けられていることも好ましい。これにより、フラップ部の数を減らせることができ、マットカバーの材料及び重量を軽減させることができる。
【００１７】
また、本発明の運動用マットカバーのフラップ部には、側面被覆部に脱着可能に固定される固定手段を備えていることも好ましい。これにより、フラップ部を外方に引っ張って、表面のシワや弛みを除去した状態を容易に維持することができる。
【００１８】
さらに、フラップ部に備えられた固定手段は、面ファスナーであることも好ましい。これにより、容易に脱着可能な固定を行うことができ、再調整も簡単に行うことができる。
【発明の効果】
【００１９】
本発明によれば、以下のような優れた効果を有する運動用マットカバーを提供することができる。
（１）マットカバー表面に生じるシワや弛みを容易に除去することができる。
（２）緩衝マットの角部が潰れにくく、マット表面の平坦性も確保される。
（３）緩衝マットへの被覆・取り付けも容易であり、取り扱いしやすい。
（４）複数のマットを連結させて使用してもマットとマットの継ぎ目が平坦であるため、歩行性に優れ、安全に使用できる。
【図面の簡単な説明】
【００２０】
【図１】本発明の第１の実施形態に係る運動用マットカバーで緩衝マットを被覆した状態を示す斜視図である。
【図２】図１のＡ−Ａ線部分断面図である。
【図３】図１のＢ−Ｂ線部分断面図である。
【図４】遊び連結部の他の形態の例を示す斜視図である。
【図５】遊び連結部の他の構成の例を示す断面図である。
【図６】本発明の第１の実施形態に係る運動用マットカバーの使用状態を示す説明図である。
【図７】本発明の第２の実施形態に係る運動用マットカバーの平面図である。
【図８】遊び連結部の配置の他の例を示す平面図である。
【図９】本発明の第３の実施形態に係る運動用マットカバーの平面図である。
【図１０】本発明の第４の実施形態に係る運動用マットカバーの平面図である。
【図１１】（ａ）従来の運動用マットカバーで緩衝マットを被覆した状態を示す斜視図及び（ｂ）図１１（ａ）のＸ−Ｘ線部分断面図である。
【発明を実施するための形態】
【００２１】
図１に示すように、本発明の第１の実施形態にかかる運動用マットカバー１は、表面被覆部２と、側面被覆部３と、フラップ部４と、表面被覆部２と側面被覆部３とを連結する遊び連結部５とから主に構成されている。この運動用マットカバー１は、既存のポリウレタン等の軟質の発泡樹脂素材からなる緩衝マット９を被覆するために用いられる。
【００２２】
まず、本実施形態の運動用マットカバー１を構成する表面被覆部２とフラップ部４について説明する。図１〜図３に示すように、運動用マットカバー１は、緩衝マットの表面９ａを覆う表面被覆部２と、この表面被覆部２の周縁２ａから外方に延設されたフラップ部４とを有している。表面被覆部２とフラップ部４とは連続したシート状に形成されている。表面被覆部２の大きさは、緩衝マットの表面９ａのサイズと略同じか、若干大きめのサイズに形成されている。また、フラップ部４は、表面被覆部２の周縁２ａを構成する各辺から一定長さで外方に延出するように形成された隣接構造としている。具体的には、本実施形態における緩衝マット９は直方体であるので、表面被覆部２もそれに対応した長方形状に形成され、それゆえ、フラップ部４は長方形状の表面被覆部２の周縁２ａの各辺を長辺とした長方形状に延出するように形成されており、４つのフラップ部４を有している。なお、フラップ部４の形状は、長方形状に限定されず、台形状や三角形状、半円状などであってもよい。表面被覆部２の周縁２ａからのフラップ部４の延出長さは特に限定されないが、図１〜図３に示すように、フラップ部４を側面被覆部３に固定して使用する場合には、側面被覆部３の高さ（上下方向の長さ）と同程度又はそれ以下の長さとすることが好ましい。なお、フラップ部４を側面を介して底面側に巻き込みして使用する場合には、側面被覆部３の高さよりも長くすることが好ましい。また、本実施形態では、フラップ部４と表面被覆部２とは一体に形成されているが、フラップ部４と表面被覆部２とを別体で形成してもよく、例えば、表面被覆部２の周縁２ａにフラップ部４を縫製や接着、溶着などの手段で結合した構造としてもよい。さらに、フラップ部４には、その端部近傍に指を引っかけて引っ張り易くするための貫通穴構造等のグリップ部を具えていてもよい。
【００２３】
次に、本実施形態の側面被覆部３と遊び連結部５について説明する。図１〜図３に示すように、運動用マットカバー１は、緩衝マットの側面９ｂを覆う側面被覆部３と、この側面被覆部の上端３ａと表面被覆部の裏面２ｂ（緩衝マット表面９ａ側の面）とを連結する遊び連結部５とを有している。側面被覆部３の大きさは、緩衝マットの各側面９ｂのサイズと略同じか、若干大きめのサイズに形成されている。側面被覆部３には、緩衝マット９を運動用マットカバー１内に収容するためのスライドファスナ７が取り付けられている。
【００２４】
図１〜図３に示すように、本実施形態における遊び連結部５は、帯状シート材で形成されており、帯状シート材の一端側には、側面被覆部３の上端３ａの裏面と結合された側面被覆部側結合部５ａを有し、帯状シート材の他端側には、表面被覆部２の裏面２ｂと結合された表面被覆部側結合部５ｃを有している。そして、側面被覆部側結合部５ａと表面被覆部側結合部５ｃとの間には、外方から見て谷折りで折返しされた折返し部５ｂを有するように構成されている。各結合部５ａ、５ｃの結合手段としては、接着剤による接着や縫着、溶着が好ましいが、面ファスナーやスナップファスナー等の係合手段により脱着可能に結合することも可能である。側面被覆部側結合部５ａは、本発明の効果が発揮できれば配置箇所は特に限定されないが、側面被覆部３の上端３ａ近傍に配置されることが好ましく、外観美観の観点から、本実施形態のように側面被覆部３の上端３ａの裏面（緩衝マットの側面９ｂ側の面）に配置されることが好ましい。また、表面被覆部側結合部５ｃについては、発明の効果が得られれば配置箇所は特に限定されないが、表面被覆部２の周縁２ａ近傍の裏面２ｂに配置されることが好ましい。
【００２５】
本実施形態においては、遊び連結部５は、側面被覆部３の上端３ａの裏面に結合された側面被覆部側結合部５ａから内方に延びる部分が、緩衝マット表面９ａの端部を一部覆ったのち、外方に折返しされて折返し部５ｂが形成され、折り返されたその端部が表面被覆部２の裏面２ｂに結合されて表面被覆部側結合部５ｃを形成している。本実施形態においては、側面被覆部３と遊び連結部５とを別体で形成しているが、側面被覆部３と遊び連結部５とを一体で形成してもよく、この場合には、側面被覆部側結合部５ａを設けることなく、側面被覆部の上端３ａから連続して遊び連結部５が形成される。また、緩衝マット表面９ａの四隅において、隣接する遊び連結部５が内部で重なって表面平坦性を損なわないようにするため、遊び連結部５の緩衝マット表面９ａの四隅に対応する部分は、斜めに切り欠きが施された構成、もしくは、隅部に遊び連結部５を形成しない構成とすることが好ましい。
【００２６】
上述したように、表面被覆部２と側面被覆部３とは遊び連結部５を介してゆるやかに連結している。それゆえ、フラップ部４を外方に引っ張って表面被覆部２のシワを除去する際に、遊び連結部５の表面被覆部側結合部５ｃの移動に伴って、遊び連結部５の折返し部５ｂも移動しながら変形する。その結果、シワが除去された分だけ表面被覆部２が引っ張り方向に見かけ上延伸するように移動した分の長さを遊び連結部５が回収し、表面被覆部２の移動やフラップ部４の引っ張りによる応力の影響を側面被覆部３や収容された緩衝マット９が受けないように構成されている。そのため、側面被覆部３が弛み難くなり、緩衝マット９の角部９ｃも潰れ難くなるため、表面平坦性が向上する。この作用をより効果的にするために、遊び連結部５は柔軟で変形し易い構造又は素材により構成されていることが好ましい。具体的には、例えば、遊び連結部５の素材としてコシがなく容易に変形できる薄手の素材やメッシュシート、網目状シートを選択すること、遊び連結部５０、５１を複数のヒモ状材５０や短冊状材５１とし、間隔を空けて配置した構造（図４（ａ）参照）、遊び連結部５００を構成する帯状シート材に複数の貫通孔５０１やスリット等を形成した構造（図４（ｂ）参照）などが挙げられる。なお、この場合、短冊状のシート材も帯状のシート材と同様に用いることができる。遊び連結部５の側面被覆部側結合部５ａから表面被覆部側結合部５ｃまでの長さとしては、緩衝マット９の大きさによって変化するが、一例として、４ｃｍ以上と設定することが好ましく、表面被覆部２を引っ張ったときの移動量を回収する作用効果と取り扱い性の観点から、６〜４０ｃｍとすることが特に好ましい。
【００２７】
また、本実施形態では、図２及び図３に示すように、遊び連結部５には側面被覆部側結合部５ａと表面被覆部側結合部５ｃとの間に、外方から見て谷折りで折返しされた折返し部５ｂを有している。表面被覆部２に生じたシワや弛みを除去するために、表面被覆部２と連続しているフラップ部４を引っ張った際、シワや弛みが生じていた分だけ表面被覆部２は引張り方向に見かけ上延伸するように移動するが、遊び連結部５の表面被覆部側結合部５ｃも表面被覆部２の移動に追従して引張り方向に移動する。このとき、遊び連結部５の表面被覆部側結合部５ｃの移動に連動して、折返し部５ｂ位置を移動させながら遊び連結部５が変形して追従することによって、側面被覆部３の弛みや移動が抑制される。このような作用を発現させるために、折返し部５ｂは、表面被覆部側結合部５ｃ寄りに設けることが好ましい。また、遊び連結部５は、表面被覆部２にシワや弛みが生じている初期状態においては、折返し部５ｂを有しない構成としてもよく（図５（ａ）参照）、フラップ部４を引っ張るにつれて折返し部５ｂが形成される（図５（ｂ）参照）。この場合には、遊び連結部５の長さは、初期状態から折返し部５ｂを有する場合に比べて短くてもよく、一例として、２ｃｍ以上と設定することが好ましく、表面被覆部を引っ張ったときの移動量を回収する作用効果と取り扱い性の観点から、４〜３０ｃｍとすることが特に好ましい。
【００２８】
さらに、本実施形態における運動用マットカバー１には、緩衝マット９の底面９ｄを覆う底面被覆部６が設けられている。底面被覆部６は、側面被覆部３の下端から連続して一体的に形成されている。なお、運動用マットカバー１における底面被覆部６の構成は本実施形態にかかる構成に限定されず、底面被覆部６が側面被覆部３と連続しておらず別体として設けられる構成のほか、底面被覆部６自体を設けない構造とすることもできる。
【００２９】
次に本実施形態のフラップ部４の固定手段８について説明する。固定手段としては、フラップ部４を留めておけるものであればよく、特に限定されない。本実施形態では、脱着可能であって容易に調整可能な観点から、面ファスナー８が好適に用いられる。本実施形態では、フラップ部４の裏面に面ファスナーのオス部８ａが取付けられ、側面被覆部３の対応する部分に面ファスナーのメス部８ｂが取付けられている。その他の固定手段としては、結束バンドも用いることができ、その場合には、フラップ部４に結束バンドを取付けるためのハトメ孔を設けておくことができる。
【００３０】
本実施形態における運動用マットカバーを構成する表面被覆部２、側面被覆部３、フラップ部４のシート材料としては、強度が高いことからテント生地、帆布などが好適に用いられ、特にターポリンが好適に用いられる。また、遊び連結部５が側面被覆部３と別体として構成される場合の材料としては、本発明における遊び連結部５の上記作用効果を発揮できれば特に限定はなく、コシのない織布、編布、樹脂網、メッシュシート、各種ひもなどを用いることができる。また、本実施形態における緩衝マット９としては、特に限定されないが、フリークライミング用緩衝マットとして用いられる高さ（厚み）３０ｃｍ程度の樹脂発泡体や、鉄棒や吊り輪等の器械運動に用いられる高さ（厚み）１０〜６０ｃｍ程度の樹脂発泡体が用いられる。本発明の運動用マットカバー１は、フリークライミング、器械体操や体育の授業などに使用する運動マット用のカバーとして広く使用することができる。
【００３１】
次に、図６（ａ）〜（ｃ）を参照して、本実施形態にかかる運動用マットカバー１の使用方法について説明する。図６（ａ）は、運動用マットカバー１で緩衝マット９を被覆したところを示している。本実施形態では、運動用マットカバー１の側面被覆部３の外周にスライドファスナ７が設けられており、スライドファスナ７を全開にしたのち、緩衝マット９をカバー内に収容してスライドファスナを締めることにより、被覆された状態となる。被覆した直後の状態では、表面被覆部２にはシワや弛みが生じている。そこで、図６（ｂ）に示すように、フラップ部４を矢印の方向（外方）に引っ張って表面被覆部２のシワや弛みを除去する。このとき、フラップ部４の引っ張りに応じて表面被覆部２上のシワや弛みが伸びた分だけ、矢印の方向に表面被覆部２が見かけ上延伸するように移動するが、表面被覆部２の裏面２ｂに連結されている遊び連結部５の表面被覆部側結合部５ｃが矢印の方向に一緒に移動すると共に、遊び連結部５が折返し部５ｂの位置を変えつつ変形する。このように、表面被覆部２の見かけ上の延伸分に相当する変位が、遊び連結部５の自由変形作用によって調整されることによって、フラップ部４の引っ張りによる応力の影響や表面被覆部２の移動による影響を側面被覆部３や収容された緩衝マット９が受けないように構成され、表面平坦性が確保される。次に、図６（ｃ）に示すように、表面被覆部２のシワが延びた状態でフラップ部４を側面に折込み、側面被覆部３に設けられている面ファスナー８のメス８ｂとフラップ部４の裏側に設けられている面ファスナー８のオス８ａとを係合させることにより固定させる。このように、本実施形態にかかる運動用マットカバー１によれば、容易に表面のシワや弛みを除去することができ、使用によって再び表面にシワや弛みが生じた場合等にも、その都度フラップ部４を引っ張って表面を平坦に調整することができる。
【００３２】
次に、第２の実施形態に係る運動用マットカバー１０について説明する。図７に示すように、本実施形態に係るマットカバー１０は、表面被覆部２と、側面被覆部３と、フラップ部４０と、表面被覆部２と側面被覆部３とを連結する遊び連結部５とから主に構成されている。
【００３３】
本実施形態にかかるフラップ部４０は、表面被覆部２と連続したシート状に形成されており、表面被覆部２の周縁２ａから外方に突出する複数の羽根状に形成されている。具体的には、図７に示すように、本実施形態におけるフラップ部４０は、長方形状の表面被覆部２の周縁２ａの各辺に所定の間隔で３〜５個の台形型の羽根状に延出するように形成されており、計１６つのフラップ部４０を有している。なお、フラップ部４０の形状は、台形状に限定されず、長方形状や三角形状、半円状などであってもよいが、応力が集中して表面被覆部２上の引っ張り領域を広くすることができると共に、フラップ部４０に備えられる固定手段８ａも充分な面積を確保できる台形状が特に好ましい。フラップ部４０は、表面被覆部の重心Ｇを通る線に対して線対称に配置されており、重心Ｇを挟んで対向するフラップ部４０を同時に外方に引っ張ることにより、表面に生じているシワや弛みをきれいに取り除くことができる。また、本実施形態における遊び連結部５の配置の他の例として、図８（ａ）に示すように、フラップ部４０が形成された位置に対応した箇所に遊び連結部５１０を個々に設けてもよいし、図８（ｂ）に示すように、フラップ部４０が形成されていない位置に対応した箇所に遊び連結部５１１を設けてもよく、さらにそれらを組み合わせた配置構成としてもよい。
【００３４】
本実施形態における運動用マットカバー１０の表面被覆部２、側面被覆部３、遊び連結部５及びフラップ部４０のその他の構成に関する説明は、上述した第１の実施形態の場合と同様であり、その作用効果も同様である。
【００３５】
次に、第３の実施形態に係る運動用マットカバー１１について説明する。図９に示すように、本実施形態に係るマットカバー１１は、表面被覆部２と、側面被覆部３と、フラップ部４１と、表面被覆部２と側面被覆部３とを連結する遊び連結部５とから主に構成されている。
【００３６】
本実施形態にかかるフラップ部４１は、表面被覆部２と連続したシート状に形成されており、表面被覆部２の周縁２ａから外方に突出する複数の羽根状に形成されている。具体的には、図９に示すように、本実施形態におけるフラップ部４１は、長方形状の表面被覆部２の周縁２ａの各辺に所定の間隔で２〜３個の台形型の羽根状に延出するように形成されており、計１０つのフラップ部４１を有している。本実施形態におけるフラップ部４１は、表面被覆部の重心Ｇを通る放射線状に配置されている。重心Ｇを通る線分の両端に形成されたフラップ部４１を同時にそれぞれ外方（図９中の矢印の方向）に引っ張ることにより、表面被覆部２の重心Ｇを中心としてシワや弛みをきれいに取り除くことができるため、マットカバー１１に設けるフラップ部４１の数も少なくすることができる。
【００３７】
本実施形態における運動用マットカバー１１の表面被覆部２、側面被覆部３、遊び連結部５及びフラップ部４１のその他の構成に関する説明は、上述した第１の実施形態の場合と同様であり、その作用効果も同様である。
【００３８】
次に、第４の実施形態に係る運動用マットカバー１２について説明する。図１０に示すように、本実施形態に係るマットカバー１２は、表面被覆部２と、側面被覆部３と、フラップ部４２と、表面被覆部２と側面被覆部３とを連結する遊び連結部５２とから主に構成されている。
【００３９】
本実施形態にかかるフラップ部４２は、表面被覆部２と連続したシート状に形成されており、表面被覆部２の周縁２ａから外方に突出する複数の羽根状に形成されている。具体的には、図１０に示すように、本実施形態におけるフラップ部４２は、長方形状の表面被覆部２の周縁２ａの４つの角と、表面被覆部２の周縁２ａの長辺に１個ずつ羽根状に延出するように形成されており、計６つのフラップ部４２を有している。本実施形態におけるフラップ部４２は、表面被覆部の重心Ｇを通る対角線状に配置されている。重心Ｇを通る対角線の両端に形成されたフラップ部４２を同時にそれぞれ外方（図１０中の矢印の方向）に引っ張ることにより、表面被覆部２の重心Ｇを中心としてシワや弛みをきれいに取り除くことができるため、マットカバー１２に設けるフラップ部４２の数を特に少なくすることができる。本実施形態では、表面被覆部２の周縁２ａの長辺にもフラップ部４２を１つずつ設けているが、表面被覆部２の面積が小さい場合などには、フラップ部４２を角のみに配置させることも可能である。また、本実施形態においては、表面被覆部２と側面被覆部３とを連結する遊び連結部５２は、フラップ部４２が設けられている部分と対向する部分、すなわち、表面被覆部２の周縁２ａの４つの角と、表面被覆部２の周縁２ａの長辺の中央付近のみに設けられているが、上記実施形態と同様に表面被覆部２の周縁全体に設けられていても良い。
【００４０】
本実施形態における運動用マットカバー１２の表面被覆部２と側面被覆部３及びフラップ部４２と遊び連結部５２のその他の構成に関する説明は、上述した第１の実施形態の場合と同様であり、その作用効果も同様である。
【００４１】
本発明は、上記の実施形態又は実施例に限定されるものでなく、特許請求の範囲に記載された発明の要旨を逸脱しない範囲内での種々、設計変更した形態も技術的範囲に含むものである。
【符号の説明】
【００４２】
１、１０、１１、１２、１´  運動用マットカバー
２  表面被覆部
２ａ  周縁
２ｂ  裏面（緩衝マット表面９ａ側の面）
３  側面被覆部
３ａ  上端
４、４０、４１、４２  フラップ部
５、５０、５１、５００、５１０、５１１、５２  遊び連結部
５０１  貫通孔
５ａ  側面被覆部側結合部
５ｂ  折返し部
５ｃ  表面被覆部側結合部
６  底面被覆部
７、７´  スライドファスナ
８  固定手段（面ファスナ）
８ａ  オス部
８ｂ  メス部
９、９´  緩衝マット
９ａ  マット表面
９ｂ  マット側面
９ｃ  角部
９ｄ  マット底面
Ｇ  重心
【図１】
2018099414.tif 000003
【図２】
2018099414.tif 000004
【図３】
2018099414.tif 000005
【図４】
2018099414.tif 000006
【図５】
2018099414.tif 000007
【図６】
2018099414.tif 000008
【図７】
2018099414.tif 000009
【図８】
2018099414.tif 000010
【図９】
2018099414.tif 000011
【図１０】
2018099414.tif 000012
【図１１】
2018099414.tif 000013